(57)【要約】【課題】観客個々が希望する環境条件に応じた環境調整を行う。【解決手段】不特定多数の利用者が集まる施設における環境調整システムであって、施設の環境条件を調整する環境調整装置と、非接触型ＩＣタグリーダが設けられ、施設に設置された座席と、非接触型ＩＣタグリーダとデータの通信を行って受信データから着席認証を実行するとともに、環境調整装置を制御するホスト側装置と、からなり、非接触型ＩＣタグを非接触型ＩＣタグリーダにかざし、ホスト側装置が着席認証を行ったときに、利用者に制御量の調整を許可する。【選択図】図８
2011190976.tif 000002
【特許請求の範囲】
【請求項１】
不特定多数の利用者が集まる施設における環境調整システムであって、
前記施設の環境条件を調整する環境調整装置と、
非接触型ＩＣタグリーダが設けられ、前記施設に設置された座席と、
前記非接触型ＩＣタグリーダとデータの通信を行って受信データから着席認証を実行するとともに、前記環境調整装置を制御するホスト側装置と、
を備え、
非接触型ＩＣタグを前記非接触型ＩＣタグリーダにかざし、前記ホスト側装置が着席認証を行ったときに、利用者に制御量の調整を許可することを特徴とする環境調整システム。
【請求項２】
前記ホスト側装置が利用者の人数、利用者の密度に応じて前記制御量を決定することを特徴とする請求項１に記載の環境調整システム。
【請求項３】
前記環境調整装置が前記制御量に応じて、温度や風速を調整することを特徴とする請求項２に記載の環境調整システム。
【請求項４】
前記ホスト側装置が、
前記制御量の調整の度合いから所定時間あたりの平均値を算出する算出手段を備え、
該算出した平均値を制御量とすることを特徴とする請求項１に記載の環境調整システム。
【請求項５】
前記非接触型ＩＣタグがＲＦＩＤであることを特徴とする請求項１に記載の環境調整システム。
【請求項６】
前記ＲＦＩＤが、パッシブタグであることを特徴とする請求項５に記載の環境調整システム。
【請求項７】
前記非接触型ＩＣタグが前記施設で購入したチケットに内蔵されていることを特徴とする請求項５に記載の環境調整システム。
【請求項８】
前記非接触型ＩＣタグが前記施設の発行する登録カードに内蔵されていることを特徴とする請求項５に記載の環境調整システム。
【請求項９】
前記非接触型ＩＣタグがチケットに貼付されていることを特徴とする請求項５に記載の環境調整システム。
【請求項１０】
不特定多数の利用者が集まる施設における環境調整システムにおける環境調整方法であって、
前記施設に設置された座席に設けられた非接触型ＩＣタグリーダに非接触型ＩＣタグをかざして、前記非接触型ＩＣタグリーダが前記非接触型ＩＣタグからデータを読み出す第１のステップと、
前記非接触型ＩＣタグリーダが読み出したデータをホスト側装置に送信する第２のステップと、
前記ホスト側装置が受信データから着席認証を行う第３のステップと、
前記ホスト側装置が利用者に前記施設の環境条件を調整する環境調整装置の制御量を調整する許可を与える第４のステップと、
を備えたことを特徴とする環境調整方法。
【発明の詳細な説明】
【技術分野】
【０００１】
本発明は、非接触タグを用いて、観客が施設の環境調整を行うことができる環境調整システムおよび環境調整方法に関する。
【背景技術】
【０００２】
従来、会議室内等における空調システムでは、その室内を一定の温度および湿度に設定する一括型空調システムが採用されている。しかしながら、このような一括型空調システムを採用すると、室内に複数の人がいる場合、設定した温度に対して、ある人は暑かったり、ある人は寒かったりというように、各個人に適合して最適な温度を設定するのが困難であった。
【０００３】
そのため、各個人に応じた環境情報を記憶し、これら記憶されている入室した人の環境情報を基に、その室内の最適環境条件を決定し、この決定された環境条件に従って室内の温度および、或いは湿度を制御することにより、入室している人の好みの環境情報に従って、その室内の環境条件を制御する室内環境制御システムが知られている（例えば、特許文献１参照。）。
【先行技術文献】
【特許文献】
【０００４】
【特許文献１】特開平６−１１１７０号公報
【発明の概要】
【発明が解決しようとする課題】
【０００５】
しかしながら、劇場や映画館等の施設では、不特定多数の観客が対象となるために、上記従来技術のように個人情報を取得することができず、また、観客が座っている座席の位置情報が取得できないために、劇場や映画館等の施設の温度調整等は、施設の管理者側で行われていた。
【０００６】
また、観客の人数やその着席密度が把握できないために、施設内の座席位置によって、環境が異なっていたが、これに対しては、何ら施策がとられていないのが現状であった。
【０００７】
そこで、本発明は、上述の課題に鑑みてなされたものであり、観客個々が希望する環境条件に応じた環境調整を行う環境調整システムおよび環境調整方法を提供することを目的とする。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）本発明は、不特定多数の利用者が集まる施設における環境調整システムであって、前記施設の環境条件を調整する環境調整装置（例えば、図１の環境調整装置４０に相当）と、非接触型ＩＣタグリーダ（例えば、図１のＲＦＩＤタグリーダ２０に相当）が設けられ、前記施設に設置された座席（例えば、図２の座席１００に相当）と、前記非接触型ＩＣタグリーダとデータの通信を行って受信データから着席認証を実行するとともに、前記環境調整装置を制御するホスト側装置（例えば、図１のホスト側装置３０に相当）と、を備え、非接触型ＩＣタグ（例えば、図１のＲＦＩＤタグ１０に相当）を前記非接触型ＩＣタグリーダにかざし、前記ホスト側装置が着席認証を行ったときに、利用者に制御量の調整を許可することを特徴とする環境調整システムを提案している。
【００１０】
この発明によれば、非接触型ＩＣタグを非接触型ＩＣタグリーダにかざし、ホスト側装置が着席認証を行ったときに、利用者に制御量の調整を許可することから、利用者ごとの希望に応じた環境設定を行うことができる。
【００１１】
（２）本発明は、（１）の環境調整システムについて、前記ホスト側装置が利用者の人数、利用者の密度を応じて前記制御量を決定することを特徴とする環境調整システムを提案している。
【００１２】
この発明によれば、ホスト側装置が利用者の人数、利用者の密度を応じて制御量を決定することから利用者の発する熱量をも考慮に入れて環境条件を決定することができる。
【００１３】
（３）本発明は、（２）の環境調整システムについて、前記環境調整装置が前記制御量に応じて、温度や風速を調整することを特徴とする環境調整システムを提案している。
【００１４】
この発明によれば、環境調整装置が制御量に応じて、温度や風速を調整することがきるため、より細やかに、利用者ごとの希望に応じた環境設定を行うことができる。
【００１５】
（４）本発明は、（１）の環境調整システムについて、前記ホスト側装置が、前記制御量の調整の度合いから所定時間あたりの平均値を算出する算出手段を備え、該算出した平均値を制御量とすることを特徴とする環境調整システムを提案している。
【００１６】
この発明によれば、制御量の調整の度合いから所定時間あたりの平均値を算出し、これを制御量とすることから、すべての利用者にとって快適と思われる環境設定をリアルタイムに実行することができる。
【００１７】
（５）本発明は、（１）の環境調整システムについて、前記非接触型ＩＣタグがＲＦＩＤであることを特徴とする環境調整システムを提案している。
【００１８】
この発明によれば、非接触型ＩＣタグがＲＦＩＤである。したがって、小型軽量であるため、物品に内蔵したり、物品の表面に貼付するなど使い勝手がよく、リーダを用いることにより、簡便なデータ通信が可能となる。
【００１９】
（６）本発明は、（５）の環境調整システムについて、前記ＲＦＩＤが、パッシブタグであることを特徴とする環境調整システムを提案している。
【００２０】
この発明によれば、ＲＦＩＤが、パッシブタグであるため、ＲＦＩＤ自体に電源が不要であることから、小型軽量で使い勝手がよく、リーダからの電源供給により、簡便なデータ通信が可能となる。
【００２１】
（７）本発明は、（５）の環境調整システムについて、前記非接触型ＩＣタグが前記施設で購入したチケットに内蔵されていることを特徴とする環境調整システムを提案している。
【００２２】
この発明によれば、非接触型ＩＣタグが施設で購入したチケットに内蔵されている。したがって、利用者は、特に、違和感を持つことなく、チケットをリーダにかざすだけで、希望に応じた環境設定を行うことができる。
【００２３】
（８）本発明は、（５）の環境調整システムについて、前記非接触型ＩＣタグが前記施設の発行する登録カードに内蔵されていることを特徴とする環境調整システムを提案している。
【００２４】
この発明によれば、非接触型ＩＣタグが施設の発行する登録カードに内蔵されている。例えば、施設が会員に発行するチケット兼用の登録カードに非接触型ＩＣタグが内蔵されているため、利用者は、特に、違和感を持つことなく、登録カードをリーダにかざすだけで、希望に応じた環境設定を行うことができる。
【００２５】
（９）本発明は、（５）の環境調整システムについて、前記非接触型ＩＣタグがチケットに貼付されていることを特徴とする環境調整システムを提案している。
【００２６】
この発明によれば、非接触型ＩＣタグがチケットに貼付されている。例えば、当該施設以外の場所でチケットを購入した利用者に対しては、施設に入場の際に、利用者が所持するチケットに非接触型ＩＣタグを貼付することにより、他の利用者と同様に、当該チケットをリーダにかざすだけで、希望に応じた環境設定を行うことができる。
【００２７】
（１０）本発明は、不特定多数の利用者が集まる施設における環境調整システムにおける環境調整方法であって、前記施設に設置された座席に設けられた非接触型ＩＣタグリーダに非接触型ＩＣタグをかざして、前記非接触型ＩＣタグリーダが前記非接触型ＩＣタグからデータを読み出す第１のステップ（例えば、図８のステップＳ１０１に相当）と、前記非接触型ＩＣタグリーダが読み出したデータをホスト側装置に送信する第２のステップ（例えば、図８のステップＳ１０２に相当）と、前記ホスト側装置が受信したデータから着席認証を行う第３のステップ（例えば、図８のステップＳ１０３に相当）と、前記ホスト側装置が利用者に前記施設の環境条件を調整する環境調整装置の制御量を調整する許可を与える第４のステップ（例えば、図８のステップＳ１０４に相当）と、を備えたことを特徴とする環境調整方法を提案している。
【００２８】
この発明によれば、非接触型ＩＣタグリーダが読み出したデータを受信したホスト側装置が受信したデータから着席認証を行い、利用者に施設の環境条件を調整する環境調整装置の制御量を調整する許可を与えることから、利用者ごとの希望に応じた環境設定を行うことができる。
【発明の効果】
【００２９】
本発明によれば、利用者が非接触型ＩＣタグを非接触型ＩＣタグリーダにかざし、ホスト側装置が認証を行ったときに、利用者に制御量の調整を許可することから、利用者ごとの希望に応じた環境設定を行うことができるという効果がある。
【００３０】
また、制御量の調整の度合いから所定時間あたりの平均値を算出し、これを制御量とすることから、すべての利用者にとって快適と思われる環境設定をリアルタイムに実行することができるという効果がある。
【００３１】
さらに、非接触型ＩＣタグがパッシブタグであって、このタグが購入したチケット等に内蔵あるいは貼付されているため、利用者は、特に、違和感を持つことなく、チケット等をリーダにかざすだけで、希望に応じた環境設定を行うことができるという効果がある。
【図面の簡単な説明】
【００３２】
【図１】本発明の環境調整システム構成である。
【図２】本発明の施設に配置された座席の上面図である。
【図３】本発明の施設に配置された座席の斜視図である。
【図４】本発明の非接触型タグ内蔵のチケットを例示した図である。
【図５】本発明の非接触型タグ内蔵のＩＣカードを例示した図である。
【図６】本発明の非接触型タグを貼付したチケットを例示した図である。
【図７】本発明の第１の実施形態に係るホスト側装置の構成図である。
【図８】本発明の第１の実施形態に係るシステムの処理フローである。
【図９】本発明の第２の実施形態に係るホスト側装置の構成図である。
【図１０】本発明の第２の実施形態に係るマッピングの様子を模式的に示した図である。
【図１１】本発明の第２の実施形態に係る初期温度設定の処理フローである。
【図１２】本発明の第３の実施形態に係るホスト側装置の構成図である。
【図１３】本発明の第３の実施形態に係る平均値算出の処理フローである。
【図１４】本発明の第３の実施形態に係る利用者が指示した単位時間内の制御量の調整値を模式的に示した図である。
【発明を実施するための形態】
【００３３】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３４】
＜環境調整システムの構成＞
本発明に係る環境調整システムの構成について、図１から図６を用いて、説明する。
【００３５】
本発明に係る環境調整システムは、図１に示すように、ＲＦＩＤタグ１０と、ＲＦＩＤタグリーダ２０と、ホスト側装置３０と、環境調整装置４０と、制御量調整部５０とから構成されている。
【００３６】
ここで、ＲＦＩＤタグ１０は、物体の識別に利用される微小な無線ＩＣチップであり、自身の識別コード等の情報が記録されている。なお、本発明においては、図４に示すように、劇場や映画館、ホール等の窓口で購入されるチケットの内部に内蔵されていてもよいし、図５に示すように、劇場や映画館、ホール等が発行するカード内部に内蔵されていてもよいし、図６に示すように、劇場や映画館、ホール等以外の場所で購入したチケットの場合には、その裏面に接着部材等で貼付してあってもよい。また、ＲＦＩＤタグ１０は、安価で、恒久的な動作が期待できるパッシブタグであることが好ましい。
【００３７】
ＲＦＩＤタグリーダ２０は、ＲＦＩＤタグ１０に対して、電波をエネルギー源として供給して動作させるとともに、供給する電波に対して、ＲＦＩＤタグ１０のアンテナで反射する電波に乗せて返されるＩＤ情報等を読み取る。なお、本発明においては、施設の座席の上面図である図２に示すように、座席の肘掛にＲＦＩＤタグリーダ２０が設けられている。また、ＲＦＩＤタグリーダ２０が読み取ったデータは、自身のＩＤ情報とともに、ホスト側装置３０に無線送信される。これにより、ホスト側装置３０は、ＲＦＩＤタグリーダ２０のＩＤと予め定めたマップ情報（ＲＦＩＤタグリーダのＩＤ情報と座席の位置情報とを関連付けて記憶したデータベース）から座席の位置情報を取得することができる。また、図２では、ＲＦＩＤタグ１０が設けられたチケット等をＲＦＩＤタグリーダ２０にかざす方法を例示しているが、これに限らず、例えば、チケット等を差し込んで読み取る収納型のものでもよい。
【００３８】
ホスト側装置３０は、ＲＦＩＤタグリーダ２０から受信した情報に基づいて、認証を行い、利用者の制御量調整部５０の操作を許可する。また、通信可能に接続されている制御量調整部５０から、利用者が希望する制御量を取得し、これに基づいて、環境調整装置４０を制御する。
【００３９】
環境調整装置４０は、施設内の温度等を調整する装置であり、ホスト側装置３０の制御に基づいて、運転を行う。
【００４０】
制御量調整部５０は、利用者が好みの環境条件になるように、操作する操作部であり、図３に示すように、座席の肘掛下部の内側に設けられている。なお、この操作部は、ホスト側装置３０によるＲＦＩＤタグ１０の認証を条件に操作が許可される。
【００４１】
＜第１の実施形態＞
図７および図８を用いて、本発明の第１の実施形態について、説明する。なお、以下に示す各実施形態は、ホスト側装置内での処理が異なるものであるため、共通する部分の詳細な説明は省略し、その特徴部分のみを説明する。
【００４２】
＜ホスト側装置の構成＞
本実施形態に係るホスト側装置は、図７に示すように、受信部３１と、制御部３２と、送信部３３とから構成されている。
【００４３】
受信部３１は、ＲＦＩＤタグリーダ２０からのデータを受信し、このデータを制御部３２に伝送する。また、利用者が、制御量調整部５０を操作した場合に、その制御量の調整値に関する情報を受信する。
【００４４】
制御部３２は、受信したデータに基づいて、認証処理を行い、認証が完了すると、制御量調整部５０に対して、動作許可信号を送信部３３を介して、送信する。また、受信部３１が、制御量調整部５０から受信した制御量の調整値に関する情報に基づいて、環境条件を変更して、環境調整装置４０の運転を制御する。
【００４５】
＜システムの処理＞
図８を用いて、本実施形態に係るシステムの処理について説明する。
【００４６】
まず、施設に設置された座席に設けられたＲＦＩＤタグリーダ２０にＲＦＩＤタグ１０をかざして、ＲＦＩＤタグリーダ２０がＲＦＩＤタグ１０からデータを読み出し（ステップＳ１０１）、ＲＦＩＤタグリーダ２０が読み出したデータをホスト側装置３０に送信する（ステップＳ１０２）。
【００４７】
ホスト側装置３０は、受信したデータの認証を行い（ステップＳ１０３）、利用者に施設の環境条件を調整する環境調整装置４０の制御量を調整する許可を与える（ステップＳ１０４）。そして、利用者からの制御量の調整値に基づいて、環境条件を変更して、環境調整装置４０の運転を制御する。
【００４８】
したがって、本実施形態によれば、ＲＦＩＤタグをＲＦＩＤタグリーダにかざし、ホスト側装置が認証を行ったときに、利用者に制御量の調整を許可することから、利用者ごとの希望に応じた環境設定をリアルタイムに実行することができる。
【００４９】
＜第２の実施形態＞
図９から図１１を用いて、本発明に係る第２の実施形態について、説明する。
第１の実施形態においては、予め定めた設定値を基準に、利用者から受信した制御量の調整値に基づいて、制御を行っていたが、本実施形態では、利用者の人数やその密度をも応じて、基準となる設定値を決定し、この値に対して、利用者から受信した制御量の調整値を反映するものである。
【００５０】
＜ホスト側装置の構成＞
本実施形態に係るホスト側装置は、図９に示すように、受信部３１と、マッピング部３４と、制御部３５と、送信部３３とから構成されている。なお、受信部３１および送信部３３の機能は、第１の実施形態と同様であるため、その詳細な説明は省略する。
【００５１】
マッピング部３４は、受信部３１が受信したＲＦＩＤタグリーダ２０からのデータからＲＦＩＤタグリーダ２０のＩＤ情報を抽出し、抽出したＩＤ情報から位置情報を取得して、図１０に示すようなマッピングを行う。なお、本発明の応用例として、マッピングデータを用いることにより、災害時の安全対策を実行することもできる。
【００５２】
制御部３５は、受信したデータに基づいて、認証処理を行い、認証が完了すると、制御量調整部５０に対して、動作許可信号を送信部３３を介して、送信する。また、受信部３１が、制御量調整部５０から受信した制御量の調整値に関する情報に基づいて、環境条件を変更して、環境調整装置４０の運転を制御する。さらに、マッピング部３４から得られるマッピング情報に基づいて、基準となる設定値を決定する。なお、詳細については、以下で、処理フローを用いて説明する。
【００５３】
＜設定値決定の処理フロー＞
図１０および図１１を用いて、マッピング部３４および制御部３５における設定値決定の処理について説明する。
【００５４】
まず、マッピング部３４は、受信部３１が受信したＲＦＩＤタグリーダ２０からのデータからＲＦＩＤタグリーダ２０のＩＤ情報を抽出し、抽出したＩＤ情報から位置情報を取得して、図１０に示すようなマッピングを行う（ステップＳ２０１）。
【００５５】
制御部３５は、人間が発する基準的な熱量と、利用者の人数、利用者の密集度に応じて、利用者全体が発生する熱量を算出する。具体的には、人間が発する基準的な熱量と利用者の人数とをベースに算出を行うが、図１０のＡ部やＢ部、Ｃ部といった利用者が密集しているところでは、その密集度に応じて、利用者個々の発する熱量に重み付けをした上で利用者全体が発生する熱量を算出する（ステップＳ２０２）。
【００５６】
次に、算出した利用者全体が発生する熱量と施設の空間容量とから利用者全体による熱量による温度上昇を算出する（ステップＳ２０３）。そして、算出した温度上昇を補正値として、予め設定されている設定値を補正して、基準となる設定値を導出する（ステップＳ２０４）。
【００５７】
したがって、本実施形態によれば、利用者が発する熱量を正確に算出し、これを温度変化に換算して、基準となる設定値を決定することから、より利用者の希望に近い環境設定を実現することができる。
【００５８】
＜第３の実施形態＞
図１２から図１４を用いて、本発明に係る第３の実施形態について、説明する。
第１の実施形態においては、利用者から受信した制御量の調整値に基づいて、リアルタイムに制御を行っていたが、本実施形態では、所定時間、利用者から要求のあった制御量の調整値を保存し、これらの平均値に基づいて、環境調整装置を制御する。
【００５９】
＜ホスト側装置の構成＞
本実施形態に係るホスト側装置は、図１２に示すように、受信部３１と、平均値算出部３７と、制御部３８と、送信部３３とから構成されている。なお、受信部３１および送信部３３の機能は、第１の実施形態と同様であるため、その詳細な説明は省略する。
【００６０】
平均値算出部３７は、受信部３１が受信した利用者の制御量の調整値を図示しない格納部に図１４のように格納し、格納した制御量の調整値の平均値を算出して、制御部３８に出力する。制御部３８は、平均値算出部３７から入力した平均値に基づいて、環境調整装置４０を制御する。
【００６１】
＜平均値算出の処理＞
図１３を用いて、平均値算出の処理について説明する。
【００６２】
まず、平均値算出部３７は、図示しない格納部に図１４にしめすよう利用者の制御量の調整値を保存する（ステップＳ３０１）。そして、所定時間が経過したか否かを確認し（ステップＳ３０２）、所定時間を経過していない場合（ステップＳ３０２の「Ｎｏ」）には、制御量の調整値の保存を継続する。
【００６３】
一方で、所定時間が経過した場合（ステップＳ３０２の「Ｙｅｓ」）には、制御量の調整値の保存を中止、保存した制御量の調整値の平均値を算出する（ステップＳ３０３）。そして、この平均値を制御部３８に出力する。なお、平均値の算出が終了すると、直ちに、ステップＳ３０１からＳ３０３の処理を行う。
【００６４】
したがって、本実施形態によれば、所定時間内に収集された利用者の制御量の調整値の平均値で、環境調整装置４０を運転するため、多くの利用者にとって、快適な環境を時間ごとに提供できる。
【００６５】
以上、この発明の実施形態につき、図面を参照して詳述してきたが、具体的な構成はこの実施形態に限られるものではなく、この発明の要旨を逸脱しない範囲の設計等も含まれる。例えば、環境調整装置４０が施設のエリアごとに設けられている場合には、第２の実施形態におけるマッピング技術と第３の実施形態における平均値の技術とを組み合わせることにより、利用者にとってさらに快適な環境を提供することができる。
【符号の説明】
【００６６】
１０；ＲＦＩＤタグ
２０；ＲＦＩＤタグリーダ
３０；ホスト側装置
３１；受信部
３３；送信部
３４；マッピング部
３５；制御部
３７；平均値算出部
３８；制御部
４０；環境調整装置
５０；制御量調整部
【図１】
2011190976.tif 000003
【図２】
2011190976.tif 000004
【図３】
2011190976.tif 000005
【図４】
2011190976.tif 000006
【図５】
2011190976.tif 000007
【図６】
2011190976.tif 000008
【図７】
2011190976.tif 000009
【図８】
2011190976.tif 000010
【図９】
2011190976.tif 000011
【図１０】
2011190976.tif 000012
【図１１】
2011190976.tif 000013
【図１２】
2011190976.tif 000014
【図１３】
2011190976.tif 000015
【図１４】
2011190976.tif 000016